(57)【要約】【課題】  斜め上方向や前側方向等の自由な角度でスムーズにセットすることができる充電式のテープ印字装置、その充電器及びこれらを用いた充電システムを提供する。【解決手段】  先ず、テープ印字装置３の前側側面部２１を下側にして、右側面部１７が前側方向になるように、該テープ印字装置３の上面部４と底面部を手に持って、充電器２の前側斜め上方向から該テープ印字装置３の右側面部１７の下端縁部を嵌合部５３の手前側部分に嵌入させる。そして、テープ印字装置３の前側側面部２１を充電器２の嵌合部５３の前側の側壁部５７Ａの上端縁部に当接させつつ前側方向に挿入することにより、該テープ印字装置３の右側面部１７の下端縁部に形成されているリブ部２８が嵌合部５３の底面部５６上に立設される保護リブ部７５等に当接しつつ、該テープ印字装置３が充電器２の嵌合部５３に装着される。【選択図】  図１１
2005102372.tif 000002
【特許請求の範囲】
【請求項１】
上面部に配置された複数の入力キーを備えるキー入力手段と、表示手段と、第１の側面部に設けられて前記キー入力手段等によって入力又は編集された文字が印字された長尺状のテープが排出されるテープ排出口と、を備え、充電器に装着させた状態で前記充電器から充電が行われる薄型略箱体状のテープ印字装置において、
前記第１の側面部に直交する第２の側面部に設けられる充電用受電端子を備え、
前記キー入力手段及び表示手段は、少なくとも前記第１の側面部に対向する第３の側面部及び前記第２の側面部に接続される上面部の各辺から所定寸法内側の部分に配置され、
前記第２の側面部を下側にして該キー入力手段及び表示手段より外側の部分が充電器に挿入されて装着されることを特徴とするテープ印字装置。
【請求項２】
前記第２の側面部側の左右両側面角部のうちの少なくとも前記第３の側面部側の側面角部の厚さ方向の略中央部に略直角外側方向に延出される平面視略円弧状のリブ部と、
該第２の側面部の複数箇所に前記リブ部と同じ高さになるように立設される脚部と、
を備えたことを特徴とする請求項１に記載のテープ印字装置。
【請求項３】
前記充電用受電端子は、前記第２の側面部の長手方向中央位置で厚さ方向に沿って設けられていることを特徴とする請求項１又は請求項２に記載のテープ印字装置。
【請求項４】
薄型略箱体状のテープ印字装置が嵌合されて装着される嵌合部を有する筐体と、前記嵌合部に設けられる充電用給電端子と、を備え、前記テープ印字装置が前記嵌合部に装着された状態で充電が行われる充電器において、
前記嵌合部は、前記テープ印字装置の所定側面部が載置される平面視略細長四角形の底面部と、
前記底面部の４辺から所定高さ立ち上がり形成され、前記所定側面部の周辺部分を支持する平面視略細長四角形の第１支持部と、
前記第１支持部の一方の短辺の上端縁部から上方に所定第１長さ延出されて、前記所定側面部に直交する一方の側面部を支持する第２支持部と、
前記第２支持部の左右両側端縁部から前記第１支持部の各長辺の上端縁部に沿って所定第２長さ延出されて、前記テープ印字装置の上面部又は底面部の該第２支持部近傍部分を支持する各第３支持部と、
を有し、
前記充電用給電端子は、前記底面部の所定位置に設けられ、
前記筐体は、前記第１支持部とほぼ同じ大きさの平面視略細長四角形状に形成されていることを特徴とする充電器。
【請求項５】
前記充電用給電端子は、前記底面部の長手方向中央位置で短手方向に沿って設けられていることを特徴とする請求項４に記載の充電器。
【請求項６】
前記第１支持部の他方の短辺の上端縁部から前下り状に傾斜するように外側方向に延出される傾斜案内部を備えたことを特徴とする請求項４又は請求項５に記載の充電器。
【請求項７】
前記嵌合部に前記テープ印字装置が装着されたことを検知する検知手段を備え、
前記検知手段は、前記底面部の前記充電用給電端子より前記第２支持部側の位置に配置されるように設けられていることを特徴とする請求項４乃至請求項６のいずれかに記載の充電器。
【請求項８】
前記底面部は、前記充電用給電端子の少なくとも一方の極の充電用給電端子の周囲に該充電用給電端子の突出高さ以上の高さまで立設される保護リブ部を有することを特徴とする請求項４乃至請求項７のいずれかに記載の充電器。
【請求項９】
上面部に配置された複数の入力キーを備えるキー入力手段と、表示手段と、第１の側面部に設けられて前記キー入力手段等によって入力又は編集された文字が印字された長尺状のテープが排出されるテープ排出口と、を備えた薄型略箱体状のテープ印字装置と、前記テープ印字装置が嵌合されて装着される嵌合部を有する筐体と、前記嵌合部に設けられる充電用給電端子と、を備えた充電器と、を具え、該テープ印字装置が前記嵌合部に装着された状態で充電が行われる充電システムにおいて、
前記テープ印字装置は、前記第１の側面部に直交する第２の側面部に設けられる充電用受電端子を備え、
前記キー入力手段及び表示手段は、少なくとも前記第１の側面部に対向する第３の側面部及び前記第２の側面部に接続される上面部の各辺から所定寸法内側の部分に配置され、
前記第２の側面部を下側にして該キー入力手段及び表示手段より外側の部分が前記嵌合部に挿入されて装着され、
前記嵌合部は、前記テープ印字装置の第２の側面部が載置される平面視略細長四角形の底面部と、
前記底面部の４辺から前記キー入力手段及び表示手段よりも下側まで立ち上がり形成され、前記第２の側面部の周辺部分を支持する平面視略細長四角形の第１支持部と、
前記第１支持部の一方の短辺の上端縁部から上方に所定第１長さ延出されて、前記第２の側面部に直交する一方の側面部を支持する第２支持部と、
前記第２支持部の左右両側端縁部から前記第１支持部の各長辺の上端縁部に沿って前記キー入力手段及び表示手段の外側部分まで延出されて、前記テープ印字装置の上面部又は底面部の該第２支持部近傍部分を支持する各第３支持部と、
を有し、
前記充電用給電端子は、前記底面部の前記充電用受電端子に対向する位置に設けられ、
前記筐体は、前記第１支持部とほぼ同じ大きさの平面視略細長四角形状に形成されていることを特徴とする充電システム。
【請求項１０】
前記テープ印字装置は、前記第２の側面部側の左右両側面角部のうちの少なくとも前記第３の側面部側の側面角部の厚さ方向の略中央部に略直角外側方向に延出される平面視略円弧状のリブ部と、
該第２の側面部の複数箇所に前記リブ部と同じ高さになるように立設される脚部と、
を備えたことを特徴とする請求項９に記載の充電システム。
【請求項１１】
前記充電用受電端子は、前記第２の側面部の長手方向中央位置で厚さ方向に沿って設けられ、
前記充電用給電端子は、前記底面部の長手方向中央位置で短手方向に沿って設けられていることを特徴とする請求項９又は請求項１０に記載の充電システム。
【請求項１２】
前記充電器は、前記第１支持部の他方の短辺の上端縁部から前下り状に傾斜するように外側方向に延出される傾斜案内部を備えたことを特徴とする請求項９乃至請求項１１のいずれかに記載の充電システム。
【請求項１３】
前記充電器は、前記嵌合部に前記テープ印字装置が装着されたことを検知する検知手段を備え、
前記検知手段は、前記底面部の前記充電用給電端子より前記第２支持部側の位置に配置されるように設けられていることを特徴とする請求項９乃至請求項１２のいずれかに記載の充電システム。
【請求項１４】
前記充電器は、前記底面部に前記充電用給電端子の少なくとも一方の極の充電用給電端子の周囲に該充電用給電端子の突出高さ以上の高さまで立設される保護リブ部を有し、
前記テープ印字装置は、前記第２の側面部に前記保護リブ部が嵌入される凹部を有することを特徴とする請求項９乃至請求項１３のいずれかに記載の充電システム。
【発明の詳細な説明】
【技術分野】
【０００１】
本発明は、充電式のテープ印字装置、その充電器及びこれらを用いた充電システムに関するものである。
【背景技術】
【０００２】
従来より、充電式の電子機器やその充電器などに関し種々提案されている。
例えば、電子機器の充電器として、ケースと、このケース内に設けられた整流部と、上記ケースに形成された電子機器の挿入用凹所と、この挿入用凹所の底部で上記電子機器の挿入方向に移動可能に支持され、電子機器の一対の充電端子と接触し得る一対の充電接触子と、この充電接触子を上記挿入用凹所側に付勢する弾性材と、上記整流部の出力と接続され、上記の少なくとも一方の充電接触子とスイッチを構成し、上記挿入用凹所に対する電子機器の挿入により後退する充電接触子と接触する接触片とを備え、上記スイッチにより充電接触子が整流部の出力と接続されるように構成されたものが提案されている（例えば、特許文献１参照。）。
【０００３】
そして、このような構成においては、電子機器を挿入用凹所に挿入することにより該電子機器の充電端子を充電接触子と接触させ、更に充電接触子を弾性材の弾性に抗して後退させることにより充電接触子を整流部の出力に接続された接触片に接続し、整流部を接触片、充電接触子からなるスイッチにより電子機器の充電端子に接続することができ、この電子機器を挿入用凹所より外した状態では、充電接触子を接触片より離隔し、整流部に対し遮断することができる。
【特許文献１】特開昭６４−６０２３２号公報（第２頁上段右欄第７行目〜第３頁上段左欄第１３行目、図１〜図３）
【発明の開示】
【発明が解決しようとする課題】
【０００４】
しかしながら、上述した従来の電子機器の充電器においては、電子機器を充電器の挿入用凹所に装着する場合に、挿入用凹所に上側から狙いを定めてほぼ鉛直方向にセットする必要があり、特に、電子機器の一種である薄型略箱体状のテープ印字装置を充電器に対して斜め上方向や前側方向等の自由な角度でスムーズにセットすることが困難であるという問題がある。
【０００５】
そこで、本発明は、上述した問題点を解決するためになされたものであり、薄型略箱体状のテープ印字装置を充電器に対して斜め上方向や前側方向等の自由な角度でスムーズにセットすることができる充電式のテープ印字装置、その充電器及びこれらを用いた充電システムを提供することを目的とする。
【課題を解決するための手段】
【０００６】
前記目的を達成するため請求項１に係るテープ印字装置は、上面部に配置された複数の入力キーを備えるキー入力手段と、表示手段と、第１の側面部に設けられて前記キー入力手段等によって入力又は編集された文字が印字された長尺状のテープが排出されるテープ排出口と、を備え、充電器に装着させた状態で前記充電器から充電が行われる薄型略箱体状のテープ印字装置において、前記第１の側面部に直交する第２の側面部に設けられる充電用受電端子を備え、前記キー入力手段及び表示手段は、少なくとも前記第１の側面部に対向する第３の側面部及び前記第２の側面部に接続される上面部の各辺から所定寸法内側の部分に配置され、前記第２の側面部を下側にして該キー入力手段及び表示手段より外側の部分が充電器に挿入されて装着されることを特徴とする。
【０００７】
上記構成を有する請求項１に係るテープ印字装置によれば、薄型略箱体状の上面部にキー入力手段と表示手段とが配置されている。また、印字された長尺状のテープが排出されるテープ排出口は第１の側面部に設けられ、この第１の側面部に直交する第２の側面部に充電用受電端子が設けられている。また、このキー入力手段及び表示手段は、少なくとも第１の側面部に対向する第３の側面部及び第２の側面部に接続される上面部の各辺から所定寸法内側の部分に配置されている。そして、テープ印字装置は、第２の側面部を下側にして該キー入力手段及び表示手段より外側の部分が充電器に挿入されて装着された状態で充電が行われる。
【０００８】
また、請求項２に係るテープ印字装置は、請求項１に記載のテープ印字装置において、前記第２の側面部側の左右両側面角部のうちの少なくとも前記第３の側面部側の側面角部の厚さ方向の略中央部に略直角外側方向に延出される平面視略円弧状のリブ部と、該第２の側面部の複数箇所に前記リブ部と同じ高さになるように立設される脚部と、を備えたことを特徴とする。
【０００９】
このような特徴を有する請求項２に係るテープ印字装置では、充電器に装着する場合に、下側にして挿入される第２の側面部側の左右両側面角部のうちの少なくとも第１側面部と反対側の第３の側面部側の側面角部の厚さ方向の略中央部に略直角外側方向に延出される平面視略円弧状のリブ部が設けられている。また、該第２の側面部の複数箇所にリブ部と同じ高さになるように脚部が立設されている。
【００１０】
また、請求項３に係るテープ印字装置は、請求項１または請求項２に記載のテープ印字装置において、前記充電用受電端子は、前記第２の側面部の長手方向中央位置で厚さ方向に沿って設けられていることを特徴とする。
【００１１】
このような特徴を有する請求項３に係るテープ印字装置によれば、充電用受電端子は、第２の側面部の長手方向中央位置で厚さ方向に沿って設けられ、テープ印字装置は、該第２の側面部を下側にして充電器に装着される。
【００１２】
また、請求項４に係る充電器は、薄型略箱体状のテープ印字装置が嵌合されて装着される嵌合部を有する筐体と、前記嵌合部に設けられる充電用給電端子と、を備え、前記テープ印字装置が前記嵌合部に装着された状態で充電が行われる充電器において、前記嵌合部は、前記テープ印字装置の所定側面部が載置される平面視略細長四角形の底面部と、前記底面部の４辺から所定高さ立ち上がり形成され、前記所定側面部の周辺部分を支持する平面視略細長四角形の第１支持部と、前記第１支持部の一方の短辺の上端縁部から上方に所定第１長さ延出されて、前記所定側面部に直交する一方の側面部を支持する第２支持部と、前記第２支持部の左右両側端縁部から前記第１支持部の各長辺の上端縁部に沿って所定第２長さ延出されて、前記テープ印字装置の上面部又は底面部の該第２支持部近傍部分を支持する各第３支持部と、を有し、前記充電用給電端子は、前記底面部の所定位置に設けられ、前記筐体は、前記第１支持部とほぼ同じ大きさの平面視略細長四角形状に形成されていることを特徴とする。
【００１３】
このような特徴を有する請求項４に係る充電器では、薄型略箱体状のテープ印字装置が装着される嵌合部の底面部は、該テープ印字装置の所定側面部が載置されるように平面視略細長四角形に形成されている。また、この底面部の周囲には、テープ印字装置の所定側面部の周辺部分を支持するように平面視略細長四角形の第１支持部が、該底面部の４辺から所定高さ立ち上がり形成されている。また、第２支持部がこの第１支持部の一方の短辺の上端縁部から上方に所定第１長さ延出されて、テープ印字装置の所定側面部に直交する一方の側面部を支持するように形成されている。また、各第３支持部がこの第２支持部の左右両側端縁部から第１支持部の各長辺の上端縁部に沿って所定第２長さ延出されて、テープ印字装置の上面部又は底面部の該第２支持部近傍部分を支持するように形成されている。また、充電器の充電用給電端子は、テープ印字装置が装着される嵌合部の底面部の所定位置に設けられている。また、充電器の筐体は、第１支持部とほぼ同じ大きさの平面視略細長四角形状に形成されている。
【００１４】
また、請求項５に係る充電器は、請求項４に記載の充電器において、前記充電用給電端子は、前記底面部の長手方向中央位置で短手方向に沿って設けられていることを特徴とする。
【００１５】
このような特徴を有する請求項５に係る充電器では、充電用給電端子は、前記底面部の長手方向中央位置で短手方向に沿って設けられているため、テープ印字装置の充電用受電端子は、テープ印字装置の所定側面部の長手方向中央位置で厚さ方向に沿って設けられる。
【００１６】
また、請求項６に係る充電器は、請求項４又は請求項５に記載の充電器において、前記第１支持部の他方の短辺の上端縁部から前下り状に傾斜するように外側方向に延出される傾斜案内部を備えたことを特徴とする。
【００１７】
このような特徴を有する請求項６に係る充電器では、第１支持部の他方の短辺の上端縁部から前下り状に傾斜するように外側方向に延出される傾斜案内部が設けられ、第２支持部に対向する他方の短辺の上端縁部の斜め下外側方向は、この傾斜案内部によって覆われている。
【００１８】
また、請求項７に係る充電器は、請求項４乃至請求項６のいずれかに記載の充電器において、前記嵌合部に前記テープ印字装置が装着されたことを検知する検知手段を備え、前記検知手段は、前記底面部の前記充電用給電端子より前記第２支持部側の位置に配置されるように設けられていることを特徴とする。
【００１９】
このような特徴を有する請求項７に係る充電器では、嵌合部の底面部で、充電用給電端子より第２支持部側の位置に、テープ印字装置が装着されたことを検知する検知手段が配置されている。
【００２０】
また、請求項８に係る充電器は、請求項４乃至請求項７のいずれかに記載の充電器において、前記底面部は、前記充電用給電端子の少なくとも一方の極の充電用給電端子の周囲に該充電用給電端子の突出高さ以上の高さまで立設される保護リブ部を有することを特徴とする。
【００２１】
このような特徴を有する請求項８に係る充電器では、嵌合部の底面部に設けられる充電用給電端子の少なくとも一方の極の充電用給電端子の周囲には、保護リブ部が該充電用給電端子の突出高さ以上の高さまで立設されている。
【００２２】
また、請求項９に係る充電システムは、上面部に配置された複数の入力キーを備えるキー入力手段と、表示手段と、第１の側面部に設けられて前記キー入力手段等によって入力又は編集された文字が印字された長尺状のテープが排出されるテープ排出口と、を備えた薄型略箱体状のテープ印字装置と、前記テープ印字装置が嵌合されて装着される嵌合部を有する筐体と、前記嵌合部に設けられる充電用給電端子と、を備えた充電器と、を具え、該テープ印字装置が前記嵌合部に装着された状態で充電が行われる充電システムにおいて、前記テープ印字装置は、前記第１の側面部に直交する第２の側面部に設けられる充電用受電端子を備え、前記キー入力手段及び表示手段は、少なくとも前記第１の側面部に対向する第３の側面部及び前記第２の側面部に接続される上面部の各辺から所定寸法内側の部分に配置され、前記第２の側面部を下側にして該キー入力手段及び表示手段より外側の部分が前記嵌合部に挿入されて装着され、前記嵌合部は、前記テープ印字装置の第２の側面部が載置される平面視略細長四角形の底面部と、前記底面部の４辺から前記キー入力手段及び表示手段よりも下側まで立ち上がり形成され、前記第２の側面部の周辺部分を支持する平面視略細長四角形の第１支持部と、前記第１支持部の一方の短辺の上端縁部から上方に所定第１長さ延出されて、前記第２の側面部に直交する一方の側面部を支持する第２支持部と、前記第２支持部の左右両側端縁部から前記第１支持部の各長辺の上端縁部に沿って前記キー入力手段及び表示手段の外側部分まで延出されて、前記テープ印字装置の上面部又は底面部の該第２支持部近傍部分を支持する各第３支持部と、を有し、前記充電用給電端子は、前記底面部の前記充電用受電端子に対向する位置に設けられ、前記筐体は、前記第１支持部とほぼ同じ大きさの平面視略細長四角形状に形成されていることを特徴とする。
【００２３】
このような特徴を有する請求項９に係る充電システムでは、薄型略箱体状のテープ印字装置は、上面部にキー入力手段と表示手段とが配置されている。また、印字された長尺状のテープが排出されるテープ排出口は、該テープ印字装置の第１の側面部に設けられ、この第１の側面部に直交する第２の側面部に充電用受電端子が設けられている。また、このキー入力手段及び表示手段は、少なくとも第１の側面部に対向する第３の側面部及び第２の側面部に接続される上面部の各辺から所定寸法内側の部分に配置されている。
また、充電器は、薄型略箱体状のテープ印字装置が装着される嵌合部の底面部は、該テープ印字装置の第２の側面部が載置されるように平面視略細長四角形に形成されている。また、この底面部の周囲には、テープ印字装置の第２の側面部の周辺部分を支持するように平面視略細長四角形の第１支持部が、該底面部の４辺から所定高さ立ち上がり形成されている。また、第２支持部がこの第１支持部の一方の短辺の上端縁部から上方に所定第１長さ延出されて、テープ印字装置の第２の側面部に直交する一方の側面部を支持するように形成されている。また、各第３支持部がこの第２支持部の左右両側端縁部から第１支持部の各長辺の上端縁部に沿って所定第２長さ延出されて、テープ印字装置の上面部又は底面部の該第２支持部近傍部分を支持するように形成されている。また、充電器の充電用給電端子は、テープ印字装置が装着される嵌合部の底面部の所定位置に設けられている。また、充電器の筐体は、第１支持部とほぼ同じ大きさの平面視略細長四角形状に形成されている。
そして、テープ印字装置は、第２の側面部を下側にして該キー入力手段及び表示手段より外側の部分が充電器の嵌合部に挿入されて装着された状態で充電が行われる。
【００２４】
また、請求項１０に係る充電システムは、請求項９に記載の充電システムにおいて、前記テープ印字装置は、前記第２の側面部側の左右両側面角部のうちの少なくとも前記第３の側面部側の側面角部の厚さ方向の略中央部に略直角外側方向に延出される平面視略円弧状のリブ部と、該第２の側面部の複数箇所に前記リブ部と同じ高さになるように立設される脚部と、を備えたことを特徴とする。
【００２５】
このような特徴を有する請求項１０に係る充電システムでは、テープ印字装置には、充電器に装着する場合に、下側にして挿入される第２の側面部側の左右両側面角部のうちの少なくとも第１側面部と反対側の第３の側面部側の側面角部の厚さ方向の略中央部に略直角外側方向に延出される平面視略円弧状のリブ部が設けられている。また、該テープ印字装置の第２の側面部の複数箇所にリブ部と同じ高さになるように脚部が立設されている。
【００２６】
また、請求項１１に係る充電システムは、請求項９又は請求項１０に記載の充電システムにおいて、前記充電用受電端子は、前記第２の側面部の長手方向中央位置で厚さ方向に沿って設けられ、前記充電用給電端子は、前記底面部の長手方向中央位置で短手方向に沿って設けられていることを特徴とする。
【００２７】
このような特徴を有する請求項１１に係る充電システムでは、テープ印字装置の充電用受電端子は、嵌合部の底面部に対向する第２の側面部の長手方向中央位置で厚さ方向に沿って設けられ、充電器の充電用給電端子は、テープ印字装置が装着される嵌合部の底面部の長手方向中央位置で短手方向に沿って設けられている。
【００２８】
また、請求項１２に係る充電システムは、請求項９乃至請求項１１のいずれかに記載の充電システムにおいて、前記充電器は、前記第１支持部の他方の短辺の上端縁部から前下り状に傾斜するように外側方向に延出される傾斜案内部を備えたことを特徴とする。
【００２９】
このような特徴を有する請求項１２に係る充電システムでは、充電器の第１支持部の他方の短辺の上端縁部から前下り状に傾斜するように外側方向に延出される傾斜案内部が設けられ、第２支持部に対向する他方の短辺の上端縁部の斜め下外側方向は、この傾斜案内部によって覆われている。
【００３０】
また、請求項１３に係る充電システムは、請求項９乃至請求項１２のいずれかに記載の充電システムにおいて、前記充電器は、前記嵌合部に前記テープ印字装置が装着されたことを検知する検知手段を備え、前記検知手段は、前記底面部の前記充電用給電端子より前記第２支持部側の位置に配置されるように設けられていることを特徴とする。
【００３１】
このような特徴を有する請求項１３に係る充電システムでは、充電器の嵌合部の底面部で、充電用給電端子より第２支持部側の位置に、テープ印字装置が装着されたことを検知する検知手段が配置されている。
【００３２】
更に、請求項１４に係る充電システムは、請求項９乃至請求項１３のいずれかに記載の充電システムにおいて、前記充電器は、前記底面部に前記充電用給電端子の少なくとも一方の極の充電用給電端子の周囲に該充電用給電端子の突出高さ以上の高さまで立設される保護リブ部を有し、前記テープ印字装置は、前記第２の側面部に前記保護リブ部が嵌入される凹部を有することを特徴とする。
【００３３】
このような特徴を有する請求項１４に係る充電システムでは、充電器の嵌合部の底面部に設けられる充電用給電端子の少なくとも一方の極の充電用給電端子の周囲には、保護リブ部が該充電用給電端子の突出高さ以上の高さまで立設されている。
【発明の効果】
【００３４】
請求項１に係るテープ印字装置では、薄型略箱体状のテープ印字装置の第２の側面部を下側にして該キー入力手段及び表示手段より外側の部分が充電器に挿入されるため、該テープ印字装置を充電器に立てた状態で充電できるため、卓上の狭い隙間でも充電が可能となり、充電のための省スペース化を図ることができる。また、充電器の上側にキー入力手段や表示手段が出ているため、充電器に立てた状態でキー入力や編集等が可能となると共に、テープ排出口は第２の側面部に直交する第１の側面部に設けられているため、充電器に装着した状態でテープの印字を行うことが可能となる。また、テープ印字装置は、上面部の各辺から所定寸法内側の部分で、キー入力手段及び表示手段より外側の部分を充電器に挿入することによって充電器に装着されるため、該充電器に挿入する部分の上下方向の幅寸法が小さくなり、充電器に対して斜め上方向や前側方向等の自由な角度でスムーズにセットすることが可能となると共に、テープ印字装置を充電器に装着する場合や充電器から取り外す場合には、該テープ印字装置の上面部及び底面部を片手で挟んで持って充電器に容易に取り付け・取り外しを行うことができる。
【００３５】
また、請求項２に係るテープ印字装置では、テープ排出口が設けられた第１の側面部を手前にして、第３の側面部が奥側になるようにテープ印字装置を手に持って充電器に斜め上方向や前側方向等から挿入した場合には、先ず、平面視略円弧状のリブ部が充電器に当接後、該リブ部が充電器上を滑ってスムーズに装着できるため、テープ印字装置を充電器に対して斜め上方向や前側方向等の自由な角度でスムーズにセットすることができる。また、第２の側面部の複数箇所に該リブ部と同じ高さになるように脚部が立設されているため、テープ印字装置を該第２の側面部を下側にして確実に立てた状態で置くことができ、充電器に装着した際の安定性の向上を図ることができる。
【００３６】
また、請求項３に係るテープ印字装置では、充電用受電端子は、第２の側面部の長手方向中央位置で厚さ方向に沿って設けられ、テープ印字装置は、該第２の側面部を下側にして充電器に装着されるため、第１の側面部と第３の側面部とを前後方向逆向きにしても充電器に装着することができ、テープ印字装置を充電器に更にスムーズに装着することができる。
【００３７】
また、請求項４に係る充電器では、薄型略箱体状のテープ印字装置が嵌合される嵌合部は、底面部及び第１支持部がこのテープ印字装置の所定側面部とほぼ同じ平面視略細長四角形に形成され、また、筐体が、この第１支持部とほぼ同じ大きさの平面視略細長四角形状に形成されているため、充電器を卓上の狭い隙間などに容易に設置することができ、設置スペースの省スペース化を図ることができる。また、充電器の第１支持部は、嵌合部の底面部の４辺からテープ印字装置の所定側面部の周辺部分を支持するように所定高さ立ち上がり形成されているため、該嵌合部の深さ寸法を浅くすると共に、充電器の高さ寸法を小さくすることができ、テープ印字装置を充電器に対して斜め上方向や前側方向等の自由な角度から容易にセットすることができる。また、充電器の第２支持部及び各第３支持部を奥側にして、テープ印字装置を手前側から装着した場合には、テープ印字装置の所定側面部に直交する奥側の側面部と、該奥側側面部の近傍のテープ印字装置の上面部又は底面部とが第２支持部と第３支持部とによって支持されるため、テープ印字装置を安定して支持することができると共に、充電器に対して斜め上方向や前側方向等のより自由な角度からセットすることができる。また、充電器の充電用給電端子は、嵌合部の底面部の所定位置に設けられているため、テープ印字装置を嵌合部に載置することによって確実に充電をすることができる。
【００３８】
また、請求項５に係る充電器では、充電用給電端子は、嵌合部の底面部の長手方向中央位置で短手方向に沿って設けられ、テープ印字装置の充電用受電端子は、テープ印字装置の所定側面部の長手方向中央位置で厚さ方向に沿って設けられるため、テープ印字装置の所定側面部を下側にして前後方向逆向きにしても充電器に装着することができ、テープ印字装置を充電器に更にスムーズに装着することができる。
【００３９】
また、請求項６に係る充電器では、第１支持部の第２支持部に対向する他方の短辺の上端縁部の斜め下外側方向は、この傾斜案内部によって覆われているため、テープ印字装置を充電器の第１支持部の上端縁部よりも少し下側の前側方向から略水平にセットしても、テープ印字装置の奥側底面がこの傾斜案内部に乗って、第１支持部の上端縁部まで案内され、該テープ印字装置を嵌合部内にスムーズに装着することができる。また、テープ印字装置を充電器の嵌合部入口に対して少し下側からでもセットすることができるため、充電器を卓上の狭い隙間に設置した状態でも、該テープ印字装置の装着を更に自由な角度からセットすることができる。
【００４０】
また、請求項７に係る充電器では、嵌合部にテープ印字装置が装着されたことを検知する検知手段は、底面部の充電用給電端子より第２支持部側の位置に配置されているため、テープ印字装置を第２支持部に対向する他方の短辺側から装着する場合に、該テープ印字装置の奥側底面部が嵌合部の底面部に当接しても充電用給電端子を乗り越えるまで、検知手段に当たることがないため、嵌合部への装着時に引っ掛かり等がなく、よりスムーズに装着することができる。また、テープ印字装置の装着を検知手段によって検知した場合には、該テープ印字装置の奥側底面部が充電用給電端子を確実に乗り越えているため、検知手段によって検知後充電電圧を印可する構成にすることによって、充電用給電端子間のクリップ等の金属片による短絡を確実に防止することができる。
【００４１】
また、請求項８に係る充電器では、少なくとも一方の極の充電用給電端子の周囲には、保護リブ部が該充電用給電端子の突出高さ以上の高さまで立設されているため、充電用給電端子間にクリップ等の金属片が乗って、短絡するのを確実に防止することができる。また、テープ印字装置が水平方向にズレた状態で装着されても、充電用給電端子間は保護リブ部によって隔絶されているため、テープ印字装置の充電用受電端子による短絡を確実に防止することができる。
【００４２】
また、請求項９に係る充電システムでは、充電器の薄型略箱体状のテープ印字装置が嵌合される嵌合部は、底面部及び第１支持部がこのテープ印字装置の第２の側面部とほぼ同じ平面視略細長四角形に形成され、また、筐体が、この第１支持部とほぼ同じ大きさの平面視略細長四角形状に形成されると共に、薄型略箱体状のテープ印字装置の第２の側面部を下側にして該テープ印字装置を充電器に立てた状態で充電できるため、充電器を卓上の狭い隙間などに容易に設置してテープ印字装置を充電することができ、充電システムの設置スペースの省スペース化を図ることができる。また、充電器の上側にテープ印字装置のキー入力手段や表示手段が出ているため、充電器に立てた状態でキー入力や編集等が可能となると共に、テープ印字装置のテープ排出口は第２の側面部に直交する第１の側面部に設けられているため、充電器に装着した状態でテープの印字を行うことが可能となる。
また、充電システムの充電器の第１支持部は、嵌合部の底面部の４辺からテープ印字装置の第２の側面部の周辺部分を支持するように所定高さ立ち上がり形成されているため、該嵌合部の深さ寸法を浅くすると共に、充電器の高さ寸法を小さくすることができる。また、テープ印字装置は、上面部の各辺から所定寸法内側の部分で、キー入力手段及び表示手段より外側の部分を充電器に挿入することによって充電器に装着できるため、テープ印字装置を充電器に対して斜め上方向や前側方向等の自由な角度でスムーズにセットすることが可能となると共に、テープ印字装置を充電器に装着する場合や充電器から取り外す場合には、該テープ印字装置の上面部及び底面部を片手で挟んで持って充電器に容易に取り付け・取り外しを行うことができる。
また、充電器の第２支持部及び各第３支持部を奥側にして、テープ印字装置を手前側から装着した場合には、テープ印字装置の第３の側面部と、該第３の側面部の近傍のテープ印字装置の上面部又は底面部とが第２支持部と第３支持部とによって支持されるため、テープ印字装置を安定して支持することができると共に、充電器に対して斜め上方向や前側方向等のより自由な角度からセットすることができる。また、充電器の充電用給電端子は、嵌合部の底面部の所定位置に設けられ、テープ印字装置の充電用受電端子は第２の側面部に設けられているため、テープ印字装置を充電器の嵌合部に載置することによって確実に充電をすることができる。
【００４３】
また、請求項１０に係る充電システムでは、テープ印字装置のテープ排出口が設けられた第１の側面部を手前にして、第３の側面部が奥側になるようにテープ印字装置を手に持って充電器に斜め上方向や前側方向等から挿入した場合には、先ず、平面視略円弧状のリブ部が充電器に当接後、該リブ部が充電器上を滑ってスムーズに装着できるため、テープ印字装置を充電器に対して斜め上方向や前側方向等の自由な角度でスムーズにセットすることができる。また、テープ印字装置の第２の側面部の複数箇所に該リブ部と同じ高さになるように脚部が立設されているため、テープ印字装置を該第２の側面部を下側にして確実に立てた状態で置くことができ、充電器に装着した際の安定性の向上を図ることができる。
【００４４】
また、請求項１１に係る充電システムでは、テープ印字装置の充電用受電端子は、第２の側面部の長手方向中央位置で厚さ方向に沿って設けられ、充電器の充電用給電端子は、テープ印字装置が装着される嵌合部の底面部の長手方向中央位置で短手方向に沿って設けられているため、テープ印字装置の第２の側面部を下側にして充電器に装着する際に、該テープ印字装置の第１の側面部と第３の側面部とを前後方向逆向きにしても充電器に装着することができ、テープ印字装置を充電器に更にスムーズに装着することができる。
【００４５】
また、請求項１２に係る充電システムでは、充電器の第１支持部の第２支持部に対向する他方の短辺の上端縁部の斜め下外側方向は、傾斜案内部によって覆われているため、テープ印字装置を充電器の第１支持部の上端縁部よりも少し下側の前側方向から略水平にセットしても、テープ印字装置の奥側底面がこの傾斜案内部に乗って、第１支持部の上端縁部まで案内され、該テープ印字装置を嵌合部内にスムーズに装着することができる。また、テープ印字装置を充電器の嵌合部入口に対して少し下側からでもセットすることができるため、充電器を卓上の狭い隙間に設置した状態でも、該テープ印字装置の装着を更に自由な角度からセットすることができる。
【００４６】
また、請求項１３に係る充電システムでは、充電器の嵌合部にテープ印字装置が装着されたことを検知する検知手段は、この嵌合部の底面部の充電用給電端子より第２支持部側の位置に配置されているため、充電器の第２支持部を奥側にして卓上などに配置し、テープ印字装置を第２支持部に対向する他方の短辺側から装着する場合に、該テープ印字装置の奥側底面部が嵌合部の底面部に当接しても充電用給電端子を乗り越えるまで、検知手段に当たることがないため、テープ印字装置の嵌合部への装着時に引っ掛かり等がなく、よりスムーズに充電器に装着することができる。また、テープ印字装置の装着を検知手段によって検知した場合には、該テープ印字装置の奥側底面部が充電用給電端子を確実に乗り越えているため、検知手段によって検知後充電電圧を印可する構成にすることによって、充電器の充電用給電端子間のクリップ等の金属片による短絡を確実に防止することができる。
【００４７】
更に、請求項１４に係る充電システムでは、充電器の嵌合部の底面部に設けられる少なくとも一方の極の充電用給電端子の周囲には、保護リブ部が該充電用給電端子の突出高さ以上の高さまで立設されているため、充電用給電端子間にクリップ等の金属片が乗って、短絡するのを確実に防止することができる。また、テープ印字装置が水平方向にズレた状態で装着されても、充電器の充電用給電端子間は保護リブ部によって隔絶されているため、テープ印字装置の充電用受電端子による短絡を確実に防止することができる。
【発明を実施するための最良の形態】
【００４８】
以下、本発明に係るテープ印字装置、充電器及びこれらを用いた充電システムについて、具体化した一実施形態に基づいて図面を参照しつつ詳細に説明する。
【実施例１】
【００４９】
先ず、本実施形態に係る充電システムの概略構成について図面を参照して説明する。
図１に示すように、本実施形態に係る充電システム１は、充電器２と、この充電器２に載置された状態で内蔵する二次電池が充電されるテープ印字装置３とから構成されている。充電器２は、後述するように電源アダプタが取り付けられ、この電源アダプタを介して商用電源から電力供給を受け、テープ印字装置３の二次電池を充電する。
このテープ印字装置３の概略構成について図２乃至図６に基づいて説明する。
図２乃至図６に示すように、薄型略箱体状のテープ印字装置３の上面部４には、文書データからなるテキストを作成するための文字入力キー５、テキストの印字を指令する印字キー６、漢字変換及びスペースを入力するスペースキー７、及び改行指令や各種処理の実行、選択を指令するリターンキー８、文字等のキャラクタを複数行に渡って表示する液晶ディスプレイ１０上でカーソルを上下、左右に移動させるカーソルキー１１等が該上面部４の各辺から所定寸法内側の部分（図１に示すように、充電器２に載置した場合に、該充電器２より外側になる部分）に配置されている。また、テープ印字装置３の左側面部１３には、印字されたテープが排出されるテープ排出口１４が形成されている。また、テープ印字装置３の右側面部１７には、電源アダプタが取り付けられるアダプタ挿入口１８、不図示のパーソナルコンピュータと接続するためのＵＳＢケーブルが取り付けられるコネクタ１９等が設けられている。従って、テープ印字装置３は、卓上に上面部４を上にして水平に置いた状態でアダプタ挿入口１８に電源アダプタを挿入して、あるいは、電源アダプタを挿入することなく内蔵する二次電池にてテープ印字をすることができる。
【００５０】
また、テープ印字装置３の前側側面部２１には、長手方向（図５中、左右方向）の中央位置で、且つ厚さ方向（図５中、上下方向）の中央位置に正面視略四角形状の負極側の充電用受電端子２３が設けられ、この充電用受電端子２３の厚さ方向（図５中、上下方向）外側で長手方向（図５中、左右方向）中心線に対して対称な位置に正面視横長四角形状の正極側の各充電用受電端子２４が設けられている。
【００５１】
また、テープ印字装置３の外周部の厚さ方向（図３〜図６中、上下方向）の中央位置には、左側面部１３のテープ排出口１４より奥側部分から奥側側面部２６を経て右側面部１７の奥側角部まで、左右両角部が平面視略円弧状に形成される側断面略半円形状のリブ部２７が外側方向に立設されている。また、右側面部１７の前側部分から前側側面部２１の右側部分までの角部には、平面視略円弧状に形成される側断面略半円形状のリブ部２８が外側方向に立設されている。また、左側面部１３のテープ排出口１４より少し前側の部分から前側側面部２１の左側部分まで、角部が平面視略円弧状に形成される側断面略半円形状のリブ部２９が外側方向に立設されている。尚、各リブ部２７〜２９は、各側面部１３、１７、２１、２６からほぼ同じ高さになるように立設されている。
【００５２】
また、図５に示すように、テープ印字装置３の前側側面部２１には、各リブ部２８、２９間の前側側面部２１の部分を囲むように正面視横長四角形のリブ部３０が立設されている。尚、このリブ部３０の突出高さは、各リブ部２８、２９の突出高さ以下になるように形成されている。また、このリブ部３０の左右両側には、各リブ部２８、２９から上側の部分に側面視略三角形の各リブ部３２、３３が、該各リブ部２８、２９の突出高さとほぼ同じ突出高さになるように立設されている。また、正面視横長四角形のリブ部３０の下側の左右両角部には、略半円球状の各突起部３４が、該各リブ部２８、２９の突出高さとほぼ同じ突出高さになるように突設されている。
【００５３】
また、前側側面部２１の負極側の充電用受電端子２３の周端縁部には正面視略四角形のリブ部３６が各リブ部２８、２９の突出高さとほぼ同じ突出高さになるように突設されている。また、このリブ部３６の内側面には、該充電用受電端子２３を上下方向に等分する位置に各延出部３６Ａが内方側に延出されている。また、このリブ部３６の外側には、正面視略四角形の溝部３７を形成するように、正面視略四角形のリブ部３８が各リブ部２８、２９の突出高さとほぼ同じ突出高さになるように突設されている。
また、前側側面部２１の負極側の充電用受電端子２３と各リブ部２８、２９との間には、該充電用受電端子２３から等間隔の位置で厚さ方向（図５中、上下方向）の中央位置に後述のように充電器２の検出スイッチ７７（図８参照）を押下する略円柱状の各ボス４２が、各リブ部２８、２９の突出高さとほぼ同じ突出高さになるように立設されている。また、この各ボス４２の周囲には正面視縦長四角形の各リブ部４３が各リブ部２８、２９の突出高さとほぼ同じ突出高さになるように突設されている。
【００５４】
次に、充電器２の概略構成について図７及び図８に基づいて説明する。
図７及び図８に示すように、充電器２は、上面部が開口した平面視略細長四角形状の下ケース５１と、下ケース５１の上面部に嵌め込まれて平面視略細長四角形の嵌合部５３にテープ印字装置３が装着される上ケース５２と、下ケース５１の後方部に収容される充電回路部５４とから構成されている。
また、上ケース５２の嵌合部５３は、テープ印字装置３の前側側面部２１とほぼ同じ大きさの平面視略細長四角形の底面部５６と、該底面部５６の４辺から所定高さ立ち上がり形成され、テープ印字装置３の前側側面部２１を下側にして装着した際に、テープ印字装置３のスペースキー７、リターンキー８や各カーソルキー１１等より下側になる外周部分を支持する各側壁部５７Ａ、５７Ｂ、５７Ｃ、５７Ｄとから形成されている。また、前側の側壁部５７Ａは、図８（Ｂ）に示すように、外側方向に所定角度（本実施形態では、鉛直方向から約２０度〜３０度で、望ましくは約２５度の角度である。）傾斜するように形成されている。
【００５５】
また、奥側（図７（Ｂ）中、上側）の側壁部５７Ｃの上端縁部には、該側壁部５７Ｃとほぼ同じ高さ寸法、上方に延出される延出部５８が形成されている。また、この延出部５８の左右両側端縁部から左右の各側壁部５７Ｂ、５７Ｄの上端縁部に沿って延出され、テープ印字装置３の前側側面部２１を下側にして装着した際に、テープ印字装置３のカーソルキー１１等よりも外側になる上面部４及び該上面部４に対向する底面部を支持する各延出部５９が設けられている。
また左右の各側壁部５７Ｂ、５７Ｄ及び各延出部５９には、嵌合部５３内に装着されたテープ印字装置３の上面部４及び底面部に当接する各案内リブ６１が内方側に立設されている。また、左右の各側壁部５７Ｂ、５７Ｄの上端縁部及び各延出部５８、５９の上端縁部には、略直角外側方向に延出されて下ケース５１を覆うカバー部６２が形成されている。また、前側の側壁部５７Ａの上端縁部から前下がり状に傾斜するように外側方向に延出される傾斜案内部６３が設けられ、下ケース５１の前側側壁部の上端縁部から前下がり状に傾斜するように外側方向に延出される傾斜支持部６４の上面部を覆うように形成されている。
【００５６】
また、下ケース５１の前側側壁部の左右両側端縁部からはこの傾斜支持部６４の左右側端縁部に沿って前側方向に延出される各リブ部６５が形成され、この傾斜支持部６４の曲げ強度の向上を図っている。
また、下ケース５１の後側側面部には、電源アダプタが取り付けられるアダプタ挿入口６７が設けられ、充電回路部５４に接続されている。
【００５７】
また、上ケース５２の嵌合部５３の底面部５６には、長手方向（図７（Ｂ）中、上下方向）の中央位置に、幅方向（図７（Ｂ）中、左右方向）に沿って左右対称に４個の各開孔６９が穿設され、テープ印字装置３の充電用受電端子２３に対向する中央側２個の各開孔６９には、充電回路部５４に接続される負極側の２個の各充電用給電端子７１が下面側から突出している。また、テープ印字装置３の各充電用受電端子２４に対向する外側２個の各開孔６９には、充電回路部５４に接続される正極側の２個の各充電用給電端子７２が下面側から突出している。この各充電用給電端子７１、７２は、図８（Ｂ）に示すように、その一端側となる基部が、捩りコイルバネとして機能するコイルバネ７３で形成されており、このコイルバネの他端を底面部５６の下面側に固定し、各充電用給電端子７１、７２を上方に付勢している。
また、負極側の各充電用給電端子７１の周囲には、テープ印字装置３の前側側面部２１の中央部に形成される溝部３７に嵌入される平面視略四角形の保護リブ部７５が、各充電用給電端子７１の突出高さ以上の高さまで立設され、各充電用給電端子７２と離隔されている。
【００５８】
また、各充電用給電端子７１と奥側の側壁部５７Ｃとの長手方向（図７（Ｂ）中、上下方向）の中央位置で、且つ幅方向（図７（Ｂ）中、左右方向）の中央部には、テープ印字装置３の前側側面部２１に形成されるリブ部４３内に嵌入される平面視幅方向に長い横長四角形の突起部７６が保護リブ部７５の高さとほぼ同じ高さまで突き出して設けられている。また、この突起部７６の中央位置には貫通孔７８が穿設され、テープ印字装置３の前側側面部２１に立設されているボス４２が該貫通孔７８に挿入可能に形成されている。また、この貫通孔７８には下面部から検出スイッチ７７が取り付けられ、テープ印字装置３の前側側面部２１に立設されているボス４２によって、該検出スイッチ７７が押下された場合に、充電回路部５４が駆動されるように形成されている。
【００５９】
次に、上記のように構成されたテープ印字装置３を充電器２に装着する一例を図９乃至図１３に基づき説明する。尚、充電器２は、アダプタ挿入口６７に電源アダプタが接続されて、卓上の奥側の狭い隙間（例えば、卓上のパーソナルコンピュータと本との間の狭い隙間等）に傾斜案内部６３を前側にして置かれている。
図９に示すように、先ず、テープ印字装置３の前側側面部２１を下側にして、右側面部１７が前側方向になるように、該テープ印字装置３の上面部４と底面部を手に持って、充電器２の前側斜め上方向から該テープ印字装置３の右側面部１７の下端縁部を嵌合部５３の手前側部分に（矢印８１方向に）嵌入させる。
そして、図１０に示すように、テープ印字装置３の前側側面部２１を充電器２の嵌合部５３の前側の側壁部５７Ａの上端縁部に当接させつつ、該テープ印字装置３の右側面部１７の下端縁部に形成されているリブ部２８を嵌合部５３の底面部５６に当接させて、このテープ印字装置３を前側方向に（矢印８２方向に）挿入する。
【００６０】
そしてまた、図１１に示すように、テープ印字装置３の前側側面部２１を充電器２の嵌合部５３の前側の側壁部５７Ａの上端縁部に当接させつつ前側方向（矢印８３方向）に挿入することにより、該テープ印字装置３の右側面部１７の下端縁部に形成されているリブ部２８が嵌合部５３の底面部５６上に立設される保護リブ部７５上に乗り上げる。これにより、テープ印字装置３の前側側面部２１が、各充電用給電端子７１、７２に直接当たるのを防止できる。
続いて、図１２に示すように、テープ印字装置３の前側側面部２１を充電器２の嵌合部５３の前側の側壁部５７Ａの上端縁部に当接させつつ更に前側方向（矢印８４方向）に挿入することにより、該テープ印字装置３の前側側面部２１の前端縁部に形成されているリブ部２８が嵌合部５３の底面部５６上に立設される突起部７６に乗り上げる。これにより、テープ印字装置３の前側側面部２１が、スイッチ７７に直接当たるの防止することができる。
【００６１】
そして更に、図１３に示すように、テープ印字装置３を更に前側方向に挿入することによって、テープ印字装置３の前側側面部２１が、充電器２の嵌合部５３の底面部５６上に載置される。また、このテープ印字装置３のスペースキー７、リターンキー８や各カーソルキー１１等より下側になる外周部分、右側面部１７の下方部、及びこの右側面部１７の下方部の両側端縁部近傍部分が、充電器２の嵌合部５３の各側壁部５７Ａ〜５７Ｄ、延出部５８及び各延出部５９によって支持される（図１参照）。また、テープ印字装置３の前側側面部２１に設けられる各充電用受電端子２３、２４は、充電器２の底面部５６に突出する各充電用給電端子７１、７２に当接される。また、テープ印字装置３の前側側面部２１に設けられる奥側（図１３中、右側）のボス４２は、充電器２の底面部５６の突起部７６に穿設される貫通孔７８に挿入され、検出スイッチ７７がＯＮになり、充電回路部５４が駆動される。これにより、各充電用給電端子７１、７２、各充電用受電端子２３、２４、及び各充電用受電端子２３、２４が接続される電源基板８６を介して、テープ印字装置３に内蔵されている二次電池が充電される。
また、この状態でパーソナルコンピュータと接続したり、文字入力キー５などによって入力された文字等がテープに印字され、前側のテープ排出口１４から排出される。
また、該テープ印字装置３の前後の向きを逆にしても、テープ印字装置３の充電用受電端子２３、２４は、前側側面部２１の長手方向（図１３中、左右方向）の中央位置に設けられており、各ボス４２は、この充電用受電端子２３、２４から長手方向に等間隔で、且つ幅方向の中央位置に形成されているため、上記図９〜図１３と同様の手順で充電器２の嵌合部５３に装着して充電することができる。
【００６２】
次に、テープ印字装置３を充電器２に装着する他の一例を図１４及び図１５に基づき説明する。
図１４に示すように、テープ印字装置３を卓上から少し持ち上げた状態で、充電器２の前側の傾斜案内部６３に該テープ印字装置３の前側側面部２１のリブ部２８を当接させて、そのまま奥側方向（各矢印８７、８８、８９方向）に挿入することによって、テープ印字装置３を充電器２の嵌合部５３に装着することができる。また、該テープ印字装置３の前後の向きを逆にしても、テープ印字装置３の充電用受電端子２３、２４は、前側側面部２１の長手方向（図１４中、左右方向）の中央位置に設けられており、各ボス４２は、この充電用受電端子２３、２４から長手方向に等間隔で、且つ幅方向の中央位置に形成されているため、テープ印字装置３を図１４と同様の手順で充電器２の嵌合部５３に装着して充電することができる。
また、図１５に示すように、テープ印字装置３を充電器２の嵌合部５３の真上から下方向（矢印９１方向）に嵌入することによって、該テープ印字装置３を充電器２の嵌合部５３に装着することができる。
【００６３】
ここで、文字入力キー５、印字キー６、スペースキー７、リターンキー８、カーソルキー１１は、キー入力手段を構成する。また、液晶ディスプレイ１０は、表示手段として機能する。また、左側面部１３は、第１の側面部として機能する。また、前側側面部２１は、第２の側面部として機能する。また、右側面部１７は、第３の側面部として機能する。また、各リブ部３２、３３及び各突起部３４は、脚部を構成する。また、下ケース５１及び上ケース５２は、筐体を構成する。また、各側壁部５７Ａ、５７Ｂ、５７Ｃ、５７Ｄは、第１支持部を構成する。また、延出部５８は、第２支持部として機能する。また、各延出部５９は、第３支持部を構成する。また、検出スイッチ７７は、検知手段として機能する。また、溝部３７は、凹部として機能する。
【００６４】
従って、本実施形態に係る充電システム１では、充電器２の薄型略箱体状のテープ印字装置３が嵌合される嵌合部５３は、底面部５６及び各側壁部５７Ａ〜５７Ｄがこのテープ印字装置３の前側側面部２１とほぼ同じ平面視略細長四角形に形成され、また、上ケース５２及び下ケース５１が、この各側壁部５７Ａ〜５７Ｄとほぼ同じ大きさの平面視略細長四角形状に形成されると共に、薄型略箱体状のテープ印字装置３の前側側面部２１を下側にして該テープ印字装置３を充電器２に立てた状態で充電できるため、充電器２を卓上の狭い隙間などに容易に設置してテープ印字装置３を充電することができ、充電システム１の設置スペースの省スペース化を図ることができる。また、充電器２の上側にテープ印字装置３の文字入力キー５、印字キー６、スペースキー７、リターンキー８、カーソルキー１１や液晶ディスプレイ１０が出ているため、充電器２に立てた状態でキー入力や編集等が可能となると共に、テープ印字装置３のテープ排出口１４は左側面部１３に設けられているため、充電器２に装着した状態でテープの印字を行うことができる。
【００６５】
また、充電システム１の充電器２の各側壁部５７Ａ〜５７Ｄは、嵌合部５３の底面部５６の４辺からテープ印字装置３の前側側面部２１の周辺部分を支持するように所定高さ立ち上がり形成されているため、該嵌合部５３の深さ寸法を浅くすると共に、充電器２の高さ寸法を小さくすることができ、容易に装着することができる。また、テープ印字装置３は、上面部４の各辺から所定寸法内側の部分で、文字入力キー５、印字キー６、スペースキー７、リターンキー８、カーソルキー１１より外側の部分を充電器２に挿入することによって該充電器２に装着できるため、テープ印字装置３を充電器２に対して斜め上方向や前側方向等の自由な角度でスムーズにセットすることが可能となると共に、テープ印字装置３を充電器２に装着する場合や充電器２から取り外す場合には、該テープ印字装置３の上面部４及び底面部を片手で挟んで持って充電器２に容易に取り付け・取り外しを行うことができる。
【００６６】
また、充電器２の各延出部５８、５９を奥側にして、テープ印字装置３を手前側から装着した場合には、テープ印字装置３の右側面部１７と、該右側面部１７の近傍のテープ印字装置３の上面部４又は底面部とが各延出部５８、５９によって支持されるため、テープ印字装置３を安定して支持することができると共に、充電器２に対して斜め上方向や前側方向等のより自由な角度からセットすることができる。また、充電器２の各充電用給電端子７１、７２は、嵌合部５３の底面部５６の所定位置に設けられ、テープ印字装置３の各充電用受電端子２３、２４は前側側面部２１に設けられているため、テープ印字装置３を充電器２の嵌合部３に載置することによって確実に充電をすることができる。
【００６７】
また、テープ印字装置３のテープ排出口１４が設けられた左側面部１３を手前にして、右側面部１７が奥側になるようにテープ印字装置３を手に持って充電器２に斜め上方向や前側方向等から挿入した場合には、先ず、平面視略円弧状のリブ部２８が充電器２に当接後、該リブ部２８が充電器２上を滑ってスムーズに装着できるため、テープ印字装置３を充電器２に対して斜め上方向や前側方向等の自由な角度でスムーズにセットすることができる。また、テープ印字装置３の前側側面部２１の複数箇所に該リブ部２８と同じ高さになるように各リブ部３３及び各突起部３４が立設されているため、テープ印字装置３を該前側側面部２１を下側にして確実に立てた状態で置くことができ、充電器２に装着した際の安定性の向上を図ることができる。
【００６８】
また、テープ印字装置３の各充電用受電端子２３、２４は、前側側面部２１の長手方向中央位置で厚さ方向に沿って設けられ、充電器２の各充電用給電端子７１、７２は、テープ印字装置３が装着される嵌合部５３の底面部５６の長手方向中央位置で短手方向に沿って設けられているため、テープ印字装置３の前側側面部２１を下側にして充電器２に装着する際に、該テープ印字装置３の左側面部１３と右側面部１７とを前後方向逆向きにしても充電器２に装着することができ、テープ印字装置３を充電器２に更にスムーズに装着することができる。
【００６９】
また、充電器２の前側の側壁部５７Ａの上端縁部の斜め下外側方向は、傾斜案内部６３によって覆われているため、テープ印字装置３を充電器２の前側の側壁部５７Ａの上端縁部よりも少し下側の前側方向から略水平にセットしても、テープ印字装置３の奥側底面がこの傾斜案内部６３に乗って、この側壁部５７Ａの上端縁部まで案内され、該テープ印字装置３を嵌合部５３内にスムーズに装着することができる。また、テープ印字装置３を充電器２の嵌合部５３入口に対して少し下側からでもセットすることができるため、充電器２を卓上の狭い隙間に設置した状態でも、該テープ印字装置３の装着を更に自由な角度からセットすることができる。
【００７０】
また、充電器２の嵌合部５３にテープ印字装置３が装着されたことを検知する検出スイッチ７７は、この嵌合部５３の底面部５６の各充電用給電端子７１、７２より各延出部５８、５９側の位置に配置されているため、充電器２の各延出部５８、５９を奥側にして卓上等に配置し、テープ印字装置３を前側から装着する場合に、該テープ印字装置３の前側側面部２１の奥側のリブ部２８が嵌合部５３の底面部５６に当接しても各充電用給電端子７１、７２を乗り越えるまで、検出スイッチ７７に当たることがないため、テープ印字装置３の嵌合部５３への装着時に引っ掛かり等がなく、よりスムーズに充電器２に装着することができる。また、テープ印字装置３の装着を検出スイッチ７７によって検知した場合には、該テープ印字装置３の前側側面部２１が各充電用給電端子７１、７２を確実に乗り越えているため、検出スイッチ７７によって検知後充電電圧を印可する構成にすることによって、充電器２の各充電用給電端子７１、７２間のクリップ等の金属片による短絡を確実に防止することができる。
【００７１】
更に、充電器２の嵌合部５３の底面部５６に設けられる負極側の各充電用給電端子７１の周囲には、保護リブ部７５が該各充電用給電端子７１の突出高さ以上の高さまで立設されているため、各充電用給電端子７１、７２間にクリップ等の金属片が乗って、短絡するのを確実に防止することができる。また、テープ印字装置３が水平方向にズレた状態で装着されても、充電器２の各充電用給電端子７１、７２間は保護リブ部７５によって隔絶されているため、テープ印字装置３の各充電用受電端子２３、２４による短絡を確実に防止することができる。
【００７２】
尚、本発明は前記本実施形態に限定されることはなく、本発明の要旨を逸脱しない範囲内で種々の改良、変形が可能であることは勿論である。
【図面の簡単な説明】
【００７３】
【図１】本実施形態に係る充電システムの概略構成を示す正面図である。
【図２】本実施形態に係る充電システムを構成するテープ印字装置の概略上方外観図である。
【図３】本実施形態に係る充電システムを構成するテープ印字装置の概略左側方外観図である。
【図４】本実施形態に係る充電システムを構成するテープ印字装置の概略右側方外観図である。
【図５】本実施形態に係る充電システムを構成するテープ印字装置の概略前側方外観図である。
【図６】本実施形態に係る充電システムを構成するテープ印字装置の概略後側方外観図である。
【図７】本実施形態に係る充電システムを構成する充電器の概略構成を示す図で、（Ａ）は背面図、（Ｂ）は平面図、（Ｃ）は正面図である。
【図８】本実施形態に係る充電システムを構成する充電器の概略構成を示す図で、（Ａ）は右側面図、（Ｂ）は側断面図である。
【図９】本実施形態に係る充電システムを構成するテープ印字装置を充電器に装着する一例を示す図で、テープ印字装置の前側側面部の前端縁部を充電器の斜め上方向から該充電器の嵌合部に嵌入させた状態を示す斜視図である。
【図１０】本実施形態に係る充電システムを構成するテープ印字装置を充電器に装着する一例を示す図で、テープ印字装置の前側側面部を充電器の嵌合部の上端縁部に当接させつつ、更に奥側方向に挿入した状態を示す側断面図である。
【図１１】本実施形態に係る充電システムを構成するテープ印字装置を充電器に装着する一例を示す図で、テープ印字装置を奥側方向に挿入し、テープ印字装置の前側側面部のリブ部が充電器の底面部に立設される保護リブ部に乗り上げた状態を示す側断面図である。
【図１２】本実施形態に係る充電システムを構成するテープ印字装置を充電器に装着する一例を示す図で、テープ印字装置を更に奥側方向に挿入し、テープ印字装置の前側側面部のリブ部が充電器の底面部に立設される突起部に乗り上げた状態を示す側断面図である。
【図１３】本実施形態に係る充電システムを構成するテープ印字装置を充電器に装着した状態を示す側断面図である。
【図１４】本実施形態に係る充電システムを構成するテープ印字装置の前側側面部のリブ部を充電器の傾斜案内部の前側端縁部に当てて、そのまま奥側方向に挿入して装着する他の一例を模式的に示す側断面図である。
【図１５】本実施形態に係る充電システムを構成するテープ印字装置を充電器のほぼ真上から装着する他の一例を示す側断面図である。
【符号の説明】
【００７４】
１                                                        充電システム
２                                                        充電器
３                                                        テープ印字装置
５                                                        文字入力キー
６                                                        印字キー
１０                                                      液晶ディスプレイ
１１                                                      カーソルキー
１３                                                      左側面部
１７                                                      右側面部
２１                                                      前側側面部
２７、２８、２９、３０、３２、３３、３６、３８、４３      リブ部
３４                                                      突起部
３７                                                      溝部
４２                                                      ボス
５１                                                      下ケース
５２                                                      上ケース
５３                                                      嵌合部
５６                                                      底面部
５７Ａ、５７Ｂ、５７Ｃ、５７Ｄ                            側壁部
５８、５９                                                延出部
６３                                                      傾斜案内部
７７                                                      検出スイッチ７７
【図１】
2005102372.tif 000003
【図２】
2005102372.tif 000004
【図３】
2005102372.tif 000005
【図４】
2005102372.tif 000006
【図５】
2005102372.tif 000007
【図６】
2005102372.tif 000008
【図７】
2005102372.tif 000009
【図８】
2005102372.tif 000010
【図９】
2005102372.tif 000011
【図１０】
2005102372.tif 000012
【図１１】
2005102372.tif 000013
【図１２】
2005102372.tif 000014
【図１３】
2005102372.tif 000015
【図１４】
2005102372.tif 000016
【図１５】
2005102372.tif 000017